(57)【特許請求の範囲】
【請求項１】
撮像素子を備え、電子画像情報を記録する電子透かし機能を有する電子撮影装置において、
前記電子画像情報を生成する記録モードと、前記電子画像情報を再生する再生モードとを切り替え設定可能なモード制御部と、
登録者の固有情報を登録する登録手段と、
使用者の固有情報を検出する情報検出手段と、
前記電子撮像装置を使用する使用者の固有情報を前記情報検出手段により検出し、前記登録手段に登録された前記固有情報と照合する照合処理を行う情報照合手段と、
前記モード制御部により前記記録モードに設定されている際に、前記情報照合手段により両固有情報が合致したことが判断されると、前記電子撮像装置の撮影動作を許可し、前記再生モードに設定されている際は、前記情報照合手段を作動させることなく前記記録画像の再生を許可する制御手段と、
撮影された電子画像情報に、前記情報検出手段で検出された前記固有情報に対応する情報を埋め込む電子透かし手段とを備えたことを特徴とする電子透かし機能を有する電子撮影装置。
【請求項２】
電源のオン・オフを制御するスイッチを含む電源制御手段を備え、
前記制御手段は、前記記録モードに設定されている際に前記情報照合手段により前記両固有情報が合致したことが一旦、判断されると、前記再生モードに設定された後に再び記録モードに設定される、又は、前記電源制御手段により電源がオフされるまでの間は前記情報照合手段を作動させることなく、前記電子撮影装置の撮影動作を保証することを特徴とする請求項１の電子透かし機能を有する電子撮影装置。
【請求項３】
前記登録手段は、前記情報照合手段によって既に登録された登録者であることが検出されると、当該登録者の管理下のもと前記情報検出手段を介して他の登録者を追加登録できることを特徴とする請求項１または２の電子透かし機能を有する電子撮影装置。
【請求項４】
前記電子撮影装置の記録モードの使用者を限定する使用者限定モードと前記電子撮影装置の記録モードの使用者を限定しない非限定モードとを選択する選択手段を備え、
前記制御手段は、前記情報照合手段により両固有情報が合致したことが判断された前記登録者のみが前記選択手段を操作可能とすることを特徴とする請求項１または２または３の電子透かし機能を有する電子撮影装置。
【請求項５】
前記固有情報は、登録者の指紋の情報であり、
前記情報検出手段は、前記指紋の情報を検出するセンサーであり、前記電子撮影装置である電子カメラのグリップ部の指の掛かる部分に配置されたことを特徴とする請求項１又は請求項３のいずれかの電子撮影装置。
【請求項６】
前記登録手段に固有情報が全く登録されていないことが検出されると、前記情報検出手段により検出された前記固有情報を前記登録手段に登録し、また、前記登録手段に固有情報が１つでも登録されていることが検出されると、前記情報照合手段により両固有情報が一致することが検出されない限り、前記登録手段に前記固有情報の更新ができないように禁止する登録制御手段を有することを特徴とする請求項１乃至５の電子透かし機能を有する電子撮影装置。
【発明の詳細な説明】
【０００１】
【産業上の技術分野】
本発明は、電子透かし機能を有する電子撮像装置及び使用者の登録機能を有する電子撮像装置に関するものである。
【０００２】
【従来の技術】
近年、デジタルカメラの普及と、インターネット技術の進歩によりデジタル画像を簡単に操作出来、メール等で相手先に簡単に転送することが出来るようになっている。また、デジタル画像は、画質を落とすことなく、複製したり加工したりすることが容易であるという特徴がある。つまり、他人の画像を、自分のものであるが如く、無断で使用したりすることが可能である。そこで、著作権や、画像の不正改ざんの問題が注目されており、最近になって、デジタル画像の質を劣化させることなく、他者が見えないような情報を画像自体に組込む電子透かしという技術が進歩してきた。
【０００３】
【発明が解決しようとする課題】
従来、画像情報の著作権を主張するための固有情報を、デジタルカメラで撮影した画像情報に埋め込むために（電子透かし）、著作権者がパソコン等の特別なシステムを使用していた。
しかし、このようなシステムでは他者が撮影した写真にも真の著作権者でない者の電子透かし情報が入力されてしまうことがある。従って、本当の意味での著作権を有する者を特定できない不具合があった。
【０００４】
本発明は、このような問題点に鑑みなされたものであり、真の著作権者を特定できる電子撮影装置を提供することを目的とする。
また、本発明は、所有者でない者の使用を禁止する等のため、使用する者を登録できる機能を有する電子撮影装置を提供することを目的とする。
【０００５】
【課題を解決するための手段】
請求項１の電子撮影装置は、前記電子画像情報を生成する記録モードと、前記電子画像情報を再生する再生モードとを切り替え設定可能なモード制御部と、登録者の固有情報を登録する登録手段と、使用者の固有情報を検出する情報検出手段と、前記電子撮像装置を使用する使用者の固有情報を前記情報検出手段により検出し、前記登録手段に登録された前記固有情報と照合する照合処理を行う情報照合手段と、前記モード制御部により前記記録モードに設定されている際に、前記情報照合手段により両固有情報が合致したことが判断されると、前記電子撮像装置の撮影動作を許可し、前記再生モードに設定されている際は、前記情報照合手段を作動させることなく前記記録画像の再生を許可する制御手段と、撮影された電子画像情報に、前記情報検出手段で検出された前記固有情報に対応する情報を埋め込む電子透かし手段とを備えたことを特徴とする電子透かし機能を有する電子撮影装置。
【０００６】
請求項２の発明は、請求項１の電子撮影装置において電源のオン・オフを制御するスイッチを含む電源制御手段とを備え、前記制御手段は、前記記録モードに設定されている際に前記情報照合手段により前記両固有情報が合致したことが一旦、判断されると、前記再生モードに設定された後に再び記録モードに設定される、又は、前記電源制御手段により電源がオフされるまでの間は前記情報照合手段を作動させることなく、前記電子撮影装置の撮影動作を保証することを特徴とする。
【０００７】
請求項３の発明は、請求項１または２の電子撮影装置において、前記登録手段は、前記情報照合手段によって既に登録された登録者であることが検出されると、当該登録者の管理下のもと前記情報検出手段を介して他の登録者を追加登録できることを特徴とする。
【０００８】
請求項４の発明は、請求項１または２または３の電子撮影装置において、前記電子撮影装置の記録モードの使用者を限定する使用者限定モードと前記電子撮影装置の記録モードの使用者を限定しない非限定モードとを選択する選択手段を備え、
前記制御手段は、前記情報照合手段により両固有情報が合致したことが判断された前記登録者のみが前記選択手段を操作可能とすることを特徴とする。
【０００９】
請求項５の発明は、請求項１又は請求項３の電子撮影装置において、前記固有情報は、登録者の指紋の情報であり、前記情報検出手段は、前記指紋の情報を検出するセンサーであり、前記電子撮影装置である電子カメラのグリップ部の指の掛かる部分に配置されたことを特徴とする。
【００１０】
請求項６の発明は、請求項１乃至５に記載の電子撮影装置において、前記登録手段に固有情報が全く登録されていないことが検出されると、前記情報検出手段により検出された前記固有情報を前記登録手段に登録し、また、前記登録手段に固有情報が１つでも登録されていることが検出されると、前記情報照合手段により両固有情報が一致することが検出されない限り、前記登録手段に前記固有情報の更新ができないように禁止する登録制御手段を有することを特徴とする。
【００１２】
【実施の形態】
図１から図７は本発明の電子撮影装置の実施形態の図であり、図１は電子撮影装置の一例であるデジタルカメラのブロック図であり、図２は図１のデジタルカメラの外観図であり、図３乃至図５及び図７はデジタルカメラのフローチャートであり、図６はデジタルカメラの表示例である。
（電子撮影装置の構成説明）
電子撮影装置であるデジタルカメラは、図１に示すようにマイクロコンピュータ１及びマイクロコンピュータ１に接続された各制御部（RAM２〜画像処理回路８）を有し、マイクロコンピュータ１（制御手段等）は、各制御部を制御することで撮影、画像処理、固有情報の電子透かし処理及び記録処理を実行する。なお、電子撮影装置は、デジタルカメラ以外にビデオカメラ、スキャナ等がある。
【００１３】
RAM２は、デジタルカメラのシステムを制御するソフトウエアの作業領域、及び固有情報等を電子透かし処理のための作業領域としての機能を有する。また、RAM 2には、電子透かし処理される固有情報が登録され、登録手段の一部を構成している。固有情報としては、指紋、声紋、目紋等であり、個人を特定できるものであれば何でも良い。
【００１４】
液晶表示部３は、表示駆動回路及びLCDモニターを有し、デジタルカメラの外部表示であるLCDモニターを制御するものであり、カメラの制御状態及びメニュ等の情報を表示する。
操作部４（操作手段）は、後述する各種操作のための操作スイッチや撮影レリーズのためのシャッタレリーズスイッチ等から構成される。
【００１５】
ROM５は、デジタルカメラのシステムを制御するソフトウエアが記憶され、電子透かし処理される固有情報に対応する著作権情報（ID情報）が登録され、登録手段の一部を構成している。ROM 5には、予め複数のID情報が格納され、ID情報は、登録される固有情報に一義的に対応させられる。
記録媒体６は、例えばCFカード、スマートメディア、内蔵メモリ等の記録媒体であり、撮影した画像信号を記録する。
【００１６】
センサ７（情報検出手段）は、カラーフィルタ及びローパスフィルタを備えた二次元CCD素子からなり、指紋の画像データを取得でき、指紋の情報を検出するものである。
画像処理回路８は、それに接続された不図示の撮像素子（二次元CCD素子等）からの画像信号を入力し、公知の画像処理（補間、圧縮処理等）をする。
【００１７】
図２は、デジタルカメラの外観図であり、液晶表示部３及び操作部４等の配置を示す。
操作部４は、レリーズスイッチ4a、メニュースイッチ１２、液晶表示スイッチ１３、十字スイッチ１５及び電源スイッチ１６からなる。
レリーズスイッチ4aは、デジタルカメラの上カバー上に配置され、右グリップ１７の上部に位置する。レリーズスイッチ4aは、記録モード（撮影モード）においては撮影開始のスイッチの機能を有し、またメニューモードにおいては各メニューの項目の設定等のセットスイッチの機能を有し、また個人情報登録モードにおいては例えば指紋の検出及び指紋のデータを登録するスイッチの機能を有する。
【００１８】
メニュースイッチ１２は、デジタルカメラの背面に配置され、液晶表示部３の上部に位置する。メニュースイッチ１２は、デジタルカメラの機能を変更するためのメニュー項目を選択する画面に液晶表示部３を変更するものである。例えば、メニュー項目として、後述する管理モード、登録照合撮影モード及び通常撮影モードがある。
【００１９】
液晶表示スイッチ１３は、デジタルカメラの背面に配置され、液晶表示部３の上部に位置する。液晶表示スイッチ１３は、液晶表示部３の表示（オン）及び非表示（オフ）状態の切換えを行うものである。
光学ファインダー１４は、デジタルカメラの背面に配置され、液晶表示部３の上部に位置する。光学ファインダー１４は、液晶表示部３を使用せずに、撮影時に構図を確認するためにある。
【００２０】
十字スイッチ１５は、デジタルカメラの背面に配置され、右グリップ１７を握ったときに親指で操作可能なように右グリップ１７近傍に配置される。メニュー項目を選択するために操作されるものである。
電源スイッチ１６は、デジタルカメラの背面に配置され、十字スイッチ１５下部であって右グリップ１７の下部に位置する。電源スイッチ１６は、「電源オフ、記録、再生」の３つのポジションがあり、電源オフにおいては、デジタルカメラのメイン電源をカットし、記録、再生位置においては、デジタルカメラのメイン電源をオンする。更に、記録位置においては省エネのため電源タイマーが作動し、所定時間経過後に電源をオフするが、何らかの十字スイッチ１５等の操作部材が操作されると再度電源がオンする構成となっている。
【００２１】
センサ７は、デジタルカメラの背面に配置され、右グリップを握ったときに親指がセンサ７上に自然に来るように右グリップ１７近傍に配置される。従って、図２に示すように、センサ上に親指を置きながら、レリーズスイッチ４aを押せば、親指の指紋の情報を検出できる。
（電子撮影装置、ここではデジタルカメラの動作説明）
図３乃至図５、及び図７は、デジタルカメラのマイクロコンピュータ１の制御処理を示すフローチャート図であり、図６は、デジタルカメラの液晶表示部３の表示状態を示す。
▲１▼  管理者登録処理ルーチンの動作説明（図３）
図３においてデジタルカメラの初期動作即ち管理者登録処理について説明する。
【００２２】
デジタルカメラの購入者は、電池装填後、初期電源の立ち上げを行うことで（ステップS1）、液晶表示部３においてステップS2の如く「初期管理メニュ」が「管理者の登録を実行して下さい。指紋情報の登録です。」と表示される。初期電源立ち上げは、電源スイッチ１６を「OFF」から「記録」或いは「再生」側に移動させることで行われる。
【００２３】
この指示に従い、ステップS3において指紋登録処理を実行する。この登録処理において、デジタルカメラの管理者の指紋情報がRAM 2に記録され、すなわち管理者（初期登録者）の固有情報としてRAM 2に記録される。この登録処理は、図５のステップS25−S28と同様な処理であるので、後で詳しく説明する。
ステップS3において指紋登録処理が終了すると、ステップS4において、液晶表示部３にステップS4の如く「管理者の登録が終了しました」と表示される。さらに、図６(D)に表示される如く、登録された指紋情報（固有情報）に対応するID情報をROM 5から引き出し液晶表示部３に表示する。登録者は、表示されたID情報が自身のID番号であることを知ることが出来る。最終的には、このID情報が撮影画像情報と共に電子透かし処理され、記録媒体６に記録され、当該撮影画像には著作権として記録される。
【００２４】
以上の処理は、デジタルカメラの購入後の初期動作であり、この初期動作を終えたデジタルカメラは第１番目の人（購入者）が管理者となる。以後、デジタルカメラは、登録された管理者（初期登録者）によってのみ撮影処理等の動作が可能となり、管理者以外の者はデジタルカメラによる撮影が原則できないことになる。
【００２５】
従って、以後、初期動作を終えたデジタルカメラは以後、ステップS1からS4は実行されず、ステップS5から制御動作が行われることになる。
次に、デジタルカメラ（以後、カメラと称す）の実際の動作（ステップＳ５以降の制御動作）を説明する。
ステップS5において、電源スイッチ１６が「記録」を選択していれば、ステップ６に進み、電源スイッチ１６が「再生」を選択していれば、ステップ９の「再生モード」に進む。再生モードルーチンは図４において説明する。
【００２６】
ステップ６において、メニュースイッチ１２をオンすると、液晶表示部３においてステップ６の如く「管理モード」、「登録照合撮影モード」、「通常撮影モード」が表示され、十字スイッチ１５によって各モードの選択が可能となる。カメラの初期設定は「登録照合撮影モード」であり、液晶表示部３の初期設定表示状態は、「登録照合撮影モード」である。
【００２７】
ステップ６において、十字スイッチ１５で「管理モード」を選択し、レリーズスイッチ4aで設定すると、ステップ７の管理モードルーチンに進み（詳しくは、図５で説明する）、また「登録照合撮影モード」或いは「通常撮影モード」を選択すると、ステップ８の撮影処理ルーチンに進む（詳しくは、図７で説明する）。
【００２８】
「登録照合撮影モード」は、撮影者がカメラに登録された者であるか否かを判定することで登録者のみの撮影を許可し、登録者以外の者の撮影を禁止するモードである。
また、「管理モード」は、カメラを使用できる者を初期登録者以外の者にも使用可能に設定できるモードである。
【００２９】
また、「通常撮影モード」は、カメラに登録された者が当該モードを選択することで、電源スイッチ１６が「記録」から「OFF」あるいは「再生」に切り替わるまで、何人もカメラを使用できるモードである。
▲２▼  再生モードルーチンの動作説明（図４）
ステップS5において、電源スイッチ１６が「再生」を選択していると、ステップS９に進み、カメラによって記録された撮影画像が液晶表示部３あるいは外部のモニターにおいて再生できる。
【００３０】
この再生モードにおいては、記録モード（「管理モード」、「登録照合撮影モード」、「通常撮影モード」の総称）のように、カメラの使用者を限定する必要がないので、原則は何人も記録された撮影画像を再生できるようなっている。
ステップS10にて、記録モードか、或いは再生モードか判断し、再生モードであればステップS11に進み、指紋検出及び指紋照合等の動作を禁止し、ステップS12において記録された撮影画像を再生する。
【００３１】
一方、再生モードの途中で記録モードが選択されると、ステップS13に進み、撮影処理ルーチンに進む。
▲３▼  管理モードルーチンの動作説明（図５、図６）
管理モードルーチンにおいては、管理者（初期登録者）がカメラの使用できる権利を他の人に許可するための指紋登録処理を実行したり、また使用できる権利を解除したりする処理ルーチンである。
【００３２】
ステップS21において、電源の供給を確認し、ステップS22に進む。
ステップS22及びS23において、カメラを管理できる者であるか即ち初期登録者であるか否かを判定する。すなわち、カメラの指紋検出用のセンサ７に親指を載せて、レリーズスイッチ4aを押すことで、センサ７が指紋情報を検出し、RAM 2に登録された初期登録者の指紋情報と一致するか否かを判定する。一致すれば、液晶表示部３に「使用者限定モード」及び「限定解除モード」が表示され、一方を十字スイッチ１５にて選択できる。その選択に応じて、ステップS24或いはステップS30に進む。
【００３３】
「使用者限定モード」とは、初期登録者が自分以外の者にカメラの使用を許可するため、カメラに使用登録を行うモードである。また、「限定解除モード」とは、初期登録者が使用者限定モードにおいて追加登録した登録者を削除するモードである。
ステップS24において、十字スイッチ１５によって「使用者限定モード」を選択し、レリーズスイッチ4aで設定すると、ステップS25に進む。
【００３４】
ステップS25において、液晶表示部３には図６(A)に示す如く「登録設定画面」の表示がなされ、十字スイッチ１５により「はい」を選択し、図２の如くセンサ７上に親指を置き、レリーズスイッチ4aをオンする。なお、上記ステップS3においては、図６(A)に示す如く表示され、ステップS25と同様に登録者の指紋情報が登録される。
【００３５】
ステップS26及びS27において、指紋検出用のセンサ７が作動し、指紋情報を検出する。
ステップS28において、検出された指紋情報がRAM 2に記録され、固有情報として登録される。
ステップS29において、図６(A)の表示から十字スイッチ１５にて「限定」を選択した後にレリーズスイッチ4aで確定する。その結果、液晶表示部３には図６(B)に示すように「限定使用者設定画面」の表示がなされ、その後、十字スイッチ１５にて「はい」を選択した後にレリーズスイッチ4aで確定する。この結果、カメラの使用する権利が、登録された登録者も取得でき、使用者が限定できる。このルーチンを繰り返すことで、複数のカメラ使用者を登録できる。
【００３６】
ステップS30において、十字スイッチ１５によって「限定解除モード」を選択し、レリーズスイッチ4aで設定すると、ステップS31に進む。
ステップS31において、図６(B)の表示から十字スイッチ１５にて「解除」を選択した後にレリーズスイッチ4aで確定する。その結果、液晶表示部３には図６(C)に示すように「限定解除設定画面」の表示がなされ、その後、十字スイッチ１５にて「はい」を選択した後にレリーズスイッチ4aで確定する。この結果、カメラの使用する権利を有する者を消去でき、限定使用者を解除できる。
【００３７】
以上の処理を繰り返すことで、カメラの管理者（初期登録者）はカメラの使用できる権利を自分以外の者にも設定できることになる。
▲４▼  撮影処理ルーチンの動作説明（図７）
上述の如く登録された登録者はカメラの使用する権利を有し、カメラの指紋照合によって限定された者だけが当該カメラを使用して撮影することができる。そこで、カメラの有する２つ撮影モードについて説明する。
【００３８】
ステップS32において、登録照合撮影モードが設定されているか否かを判断する。登録照合撮影モードであればステップS33に進む。
ステップS33において、使用者の指がセンサ７上に置かれることで、指紋検出用のセンサ７が作動する。通常、使用者が撮影状態となると、カメラ横位置においてグリップ部を把持するので、使用者の親指がセンサ７の上に来ることとなり、センサ７が自動的に起動し、検出動作を行う。
【００３９】
ステップS34において、指紋照合動作が行われ、既にRAM 2に登録された登録者の指紋情報と、センサ７により検出された指紋情報との比較を行い、一致すると判定されるとステップS35に進む。
ステップS35, S36において、カメラのレリーズスイッチ4aをオンすることで撮影シーケンスが開始され、撮像素子からの画像信号が画像処理（補間、圧縮等の処理）される。
【００４０】
ステップS37において、画像処理された撮影画像情報が、指紋照合の結果に対応するID情報がROM 5から読み出される。このID情報が撮影画像情報と共に電子透かし処理され、記録媒体６に記録され、当該撮影画像には著作権として記録される。
ステップS38において、マイクロコンピュータCPU1は、ステップS33,S34において登録者の指紋情報（固有情報）が合致しとことが一旦、判断され、電源スイッチ１６が「記録」位置（電源の供給状態）にある間は、カメラの撮影動作をステップS33,S34の指紋照合動作をしなくても保証する。すなわち、電源スイッチ１６が、その電源供給状態から電源切断状態すなわち「OFF」位置に切り替わるまでの間、あるいは「再生」位置に切り替わるまでの間は指紋情報の照合処理を作動させることなく、カメラの撮影動作を保証するのである。
【００４１】
ステップS42において、ステップS34における指紋照合結果が不一致であること警告し、レリーズスイッチ4aの信号の受付を禁止する。従って、カメラに登録されていない者がカメラ操作しても撮影が許可されないので、撮影した撮影画像の著作権の帰属を保証できる。
ステップS39において、カメラの登録者が通常撮影モードを選択することで、すなわちカメラの使用者を限定しない非限定モードとなり、登録者以外の者がカメラを使用できる機能に設定できる。これにより、カメラは、何人も使用できる状態となるが、撮影画像情報にID情報を電子透かしする処理が不作動となる。
【００４２】
ステップS40, S41において、レリーズスイッチ4aがオンされることで、撮影シーケンスが開始され、撮像素子からの画像信号が画像処理（補間、圧縮等の処理）される。この場合は、画像情報にID情報が電子透かしされないが、何人も自由にカメラを使用できる状態となる。
以上の動作を繰り返すことで、カメラの撮影処理、画像処理、記録処理が行われる。
【００４３】
また、上述のカメラにおいて、登録される固有情報が指紋情報以外の声紋情報である場合には、センサ７は音声検出用のマイクで構成され、このマイクで検出された声紋情報を登録することになる。また、登録される固有情報が目紋情報である場合には、センサ７は光学ファインダ１４の内部に配置され、ファインダを覗くことで目紋情報が画像データとして登録される。
【００４４】
【発明の効果】
請求項１の発明によれば、登録者の固有情報を検出し且つ個人の固有情報を自動的に画像に埋め込むようにしたので、当該電子撮像装置により撮影した撮影画像が撮影者の著作物であることが容易に証明できる。請求項２の発明によれば、請求項１の電子撮影装置の効果に加え、スイッチが「記録」位置すなわち撮影モードにおいて登録者の固有情報が検出されたならば、以後、再生モードに設定された後に再び記録モードに設定される、又は、前記電源制御手段により電源がオフされるまでの間は、固有情報の検出は行わずに、電子撮影装置の使用を可能としたので、撮影毎に固有情報の照合動作をする無駄が省け、連写撮影時など快適な撮影が可能である。
【００４５】
請求項３の発明によれば、登録者の固有情報を多数登録でき、登録者のみ使用可能な電子撮影装置に構成したので、限定された複数の登録者によって１つの電子撮影装置を共同で所有出来る利点があり、また限定された登録者によってのみ他の登録者を追加変更できる利点がある。請求項４の発明によれば、請求項１または２または３の電子撮影装置の効果に加え、使用者限定モードと非限定モード（何人も可能）とを登録者のみが選択できる構成であるので、電子撮影装置の使用状況に応じて最適な上記モードを選択することができる。
【００４６】
請求項５の発明によれば、請求項１又は請求項３の電子撮影装置の効果に加え、固有情報を検出する情報検出手段（センサ７）の配置をグリップ部近傍に設定したので、登録者が使用時に被検出対象（指紋、声紋、目紋等）が自然に検出できる構成となっている。
請求項６の発明によれば、固有情報の初期登録された者がカメラの管理者として登録され、登録者にのみ固有情報の更新（変更、追加、解除）が可能な構成であるので、電子撮影装置の管理権のない者が自由に撮影操作するのを防ぎ、当該電子撮影装置で撮影された画像情報の著作権を保証することができる。
【００４７】
本発明によれば、再生モード選択時は、登録者の固有情報の検出処理等を作動させることがないので、登録者以外の第三者も自由に既に記録媒体に記録された撮影画像を鑑賞できる。再生は、記録と異なり、著作権の登録の問題はなく、むしろ記録されている画像の鑑賞は自由にだれでもが見られる状態が便利だからである。
【図面の簡単な説明】
【図１】図１は電子撮影装置の一例であるデジタルカメラのブロック図であり、
【図２】図２は図１のデジタルカメラの外観図であり、
【図３】図３はデジタルカメラのマイクロコンピュータのフローチャートであり、カメラの初期動作及びメインルーチンを表すフローチャート図である。
【図４】図４は、デジタルカメラのマイクロコンピュータのフローチャートであり、再生時のフローチャート図である。
【図５】図５は、デジタルカメラのマイクロコンピュータのフローチャートであり、管理もーどのルーチンを表すフローチャート図である。
【図６】図６は、デジタルカメラの液晶表示部３の表示状態を示す図である。
【図７】図７は、デジタルカメラのマイクロコンピュータのフローチャートであり、撮影処理のルーチンを表すフローチャート図である。
【符号の説明】
１・・マイクロコンピュータ
２・・RAM
３・・液晶表示部
４・・操作部
4a・・レリーズスイッチ
５・・ROM
６・・記録媒体
７・・センサ
８・・画像処理回路
１２・・メニュースイッチ
１３・・液晶表示スイッチ
１４・・光学ファインダー
１５・・十字スイッチ
１６・・電源スイッチ
【図１】
0004134435.tif 000002
【図２】
0004134435.tif 000003
【図３】
0004134435.tif 000004
【図４】
0004134435.tif 000005
【図５】
0004134435.tif 000006
【図６】
0004134435.tif 000007
【図７】
0004134435.tif 000008